(57)【要約】【課題】前方の視界を遮ることなく、上方に位置する太陽からの直射日光のみ成らず、その直射日光が海水面や地上面に当たって反射した下からの反射日光をも遮断して、それらによる眩しさを回避する。【解決手段】複鍔帽子１０は、頭部に装着される装着部１２と、装着部１２の少なくとも前方に設けられた上側鍔２１と、上側鍔２１の下方に位置し上側鍔２１と所定の間隔を空けて上側鍔２１と共に装着者の視界を上下から挟む下側鍔２３とを備える。下側鍔２３が弾性体２６を介して装着部１２に設けられることが好ましい。下側鍔２３が上側鍔２１に重合可能に構成され、上側鍔２１に重合した下側鍔２３を上側鍔２１にして係止させる係止手段２２，２５を更に備えることが好ましい。下側鍔は、幅方向の中央が上方に盛り上がる山形状に形成することもできる。【選択図】  図１
2013087381.tif 000002
【特許請求の範囲】
【請求項１】
頭部に装着される装着部(12,42)と、
前記装着部(12,42)の少なくとも前方に設けられた上側鍔(21,41)と、
前記上側鍔(21,41)の下方に位置し前記上側鍔(21,41)と所定の間隔を空けて設けられた下側鍔(23,53)と
を備える複鍔帽子。
【請求項２】
下側鍔(23)が弾性体(26)を介して装着部(12)に設けられた請求項１記載の複鍔帽子。
【請求項３】
下側鍔(53)が装着部(42)に揺動可能に設けられた請求項１記載の複鍔帽子。
【請求項４】
下側鍔(23,53)が上側鍔(21,41)に重合可能に構成され、前記上側鍔(21,41)に重合した前記下側鍔(23,53)を前記上側鍔(21,41)に係止させる係止手段(22,25,56,57)を更に備えた請求項１ないし３いずれか１項に記載の複鍔帽子。
【請求項５】
下側鍔(41)は、幅方向の中央が上方に盛り上がる山形状に形成された請求項１ないし４いずれか１項に記載の複鍔帽子。
【発明の詳細な説明】
【技術分野】
【０００１】
本発明は、太陽からの光を遮断するために複数の鍔が設けられた複鍔帽子に関するものである。
【背景技術】
【０００２】
従来、太陽からの直射日光を遮断して、その直射日光が照らすことによる眩しさを軽減するためのものとして、一般的に釣り用帽子、野球帽子、麦藁帽子、又は、サンバイザー等のいわゆる日除け帽子が知られている。この日除け帽子は、人の頭部に装着される装着部と、装着部の少なくとも前方に設けられてこの帽子を装着した者の目の上を覆う上側鍔とを備えるものが知られている。そして、この日除け帽子における上側鍔が上方からの直射日光を遮断して、装着者の目にその直射日光が直接差し込まないようにしている。これにより、この日除け帽子を装着した装着者の目を太陽の直射日光が照らすようなことは回避され、その装着者が眩しさを感じることを防止している。
【０００３】
しかし、装着者の目の上を覆うような上側鍔を有する日除け帽子は、上方からの直射日光に対しては有効に機能するけれども、日除け帽子を装着した装着者の目を照らす光は上方からの直射日光に限られない。このため、一日中特に釣りをしている人達や、常に屋外の作業に従事する人達の日除けにはこのような日除け帽子では防げない問題がある。即ち、例えば、釣り人の場合には直射日光が海水面に当たり、その海水面により反射した日光が目を照らして、その光により眩しさを感じることがある。また屋外専門の作業をしている人には、路面により跳ね返る反射日光が目に入って眩しさを感じる場合もある。特に、冬季の積雪面等により反射する反射日光は比較的紫外線が強いものであり、そのような反射日光が目を比較的長い時間照らした場合、俗に「ゆきめ」と呼ばれる紫外線によって起こる目の角膜炎を生じさせるようなこともある。
【０００４】
このような反射日光等を遮断して帽子を装着する者の目を保護する要求から、樹脂板からなるお面体の上部に、帽子の上側鍔が入る溝穴を設けて帽子の上側鍔に装着可能とする日除けお面体が提案されている（例えば、特許文献１参照。）。この日除けお面体では、その溝穴を帽子の上側鍔に入れると、そのお面体が垂直に顔の前面を覆う設定になっており、上方からの直射日光以外の光を遮蔽するとしている。
【先行技術文献】
【特許文献】
【０００５】
【特許文献１】特開２００７−２８４８５３号公報
【発明の概要】
【発明が解決しようとする課題】
【０００６】
しかし、上記従来の日除けお面体は、鍔を有する帽子に着脱式のお面体であり、本来の帽子と別に持ち運び、必要が生じた時点でその帽子に装着するものである。このため、このような日除けお面体にあっては、必要がない場合であってもその帽子と共に持ち運ぶ必要があって、比較的面倒であるという問題や、その帽子に日除けお面体を装着したり取外したりすること自体が面倒であると言う問題もあった。また、このお面体は、顔の前面を覆うことからまた、そのお面が汚れてしまった場合には、前方の視界が遮られてしまう不具合がある。
【０００７】
また、この日除けお面体は、帽子の鍔に装着されるものであるので、帽子を頭部に装着した者の顔とそのお面体との間の下方に隙間が生じる。このため、長時間同じ場所にたたずむ釣り人や屋外での作業員の場合、水面からの反射日光や、路面の熱気を帯びた真下からの跳ね返りの反射日光が顔とそのお面体との間から進入して目を照らすことがあるので、目の保護に欠け、その反射日光により眩しさを回避し得ないという未だ解決すべき課題が残存していた。
【０００８】
本発明の目的は、前方の視界を遮ることなく、上方に位置する太陽からの直射日光のみ成らず、その直射日光が海水面や地上面に当たって反射した下からの反射日光をも遮断して、それらによる眩しさを回避し得る複鍔帽子を提供することにある。
【課題を解決するための手段】
【０００９】
本発明は、頭部に装着される装着部と、その装着部の少なくとも前方に設けられた上側鍔と、その上側鍔の下方に位置しその上側鍔と所定の間隔を空けて設けられた下側鍔とを備える複鍔帽子である。
【００１０】
下側鍔は弾性体を介して装着部に設けられること、又は装着部に揺動可能に設けられることが好ましい。また、下側鍔が上側鍔に重合可能に構成され、上側鍔に重合した下側鍔を上側鍔に係止させる係止手段を更に備えることもできる。そして、下側鍔は、幅方向の中央が上方に盛り上がる山形状に形成されることも好ましい。
【００１１】
なお、この明細書における「複鍔帽子」とは、野球帽のように頭部全体を覆うようなものの他に、頭部の周囲に装着されて頭頂部を覆わない、いわゆるサンバイザーのようなものも含むものとする。
【発明の効果】
【００１２】
本発明の複鍔帽子では、視界前方上方を覆う上側鍔を備えるので、その上側鍔が太陽からの直射日光を遮って、それによる眩しさを回避することができる。また、視界前方下方を覆う下側鍔をも備えるので、太陽からの直射日光が海水面、地上面に当たり真下から受ける反射日光をもその下側鍔が遮断して、反射日光による眩しさを回避することができる。
【００１３】
また、本発明の複鍔帽子では、頭部に装着される装着部に、上側鍔と下側鍔が予め設けられるので、従来の日除けお面のように、本来の帽子と別に持ち運ぶようなものはない。そして、上側鍔に重合した下側鍔を上側鍔に係止させる係止手段を備えれば、下側鍔を必要としない場合であっても、その下側鍔が邪魔になるようなことはない。このため、例えば下側鍔を忘れてしまうような事態を回避することができる。
【００１４】
更に、本発明の複鍔帽子では、視界前方上方を覆う上側鍔と、視界前方下方を覆う下側鍔とを備えるけれども、視界前方を遮るようなものはない。このため、この複鍔帽子を装着した者の前方における視界が本発明の複鍔帽子により遮られるようなことはない。
【図面の簡単な説明】
【００１５】
【図１】本発明実施形態の複鍔帽子を装着した者の側面図である。
【図２】その複鍔帽子を装着した者の正面図である。
【図３】その複鍔帽子を斜め上方から見た斜視図である。
【図４】その複鍔帽子を斜め下方から見た斜視図である。
【図５】本発明の別の実施形態の複鍔帽子を装着した者の側面図である。
【図６】その別の複鍔帽子を装着した者の正面図である。
【図７】その別の複鍔帽子を斜め上方から見た斜視図である。
【図８】その別の複鍔帽子を斜め下方から見た斜視図である。
【発明を実施するための形態】
【００１６】
次に、本発明を実施するための最良の形態を図面に基づいて説明する。
【００１７】
図１〜図４に、本発明の複鍔帽子１０を示す。本発明の複鍔帽子１０は、頭部（図１及び図２）に装着される装着部１２を備える。図における装着部１２は、６枚のメッシュ生地（三次元立体構造生地）からなる略二等辺三角形の三角布片１３（れんげ）を、その斜辺同士を相互に縫着結合することで頭部の形状に合うように椀形状に形成されたものであって、頭頂部となる部分において絶縁性の留め具１４（図１〜図３）によって全ての三角布片１３の頂角が括着されている。なお三角布片１３にはナイロン等の合成繊維、木綿等の天然繊維、天然繊維と合成繊維との混紡繊維が一般的に用いられるが、メッシュ生地としない場合にはフェルト、皮革なども使用することができる。
【００１８】
また装着部１２の後頭部に位置する部位の２枚の三角布片１３には、図４に示すように半円形の切欠き部１５を装着部１２の後頭部に形成するように、底辺の一角が四分の一円弧形状だけ切り取られている。この切欠き部１５は複鍔帽子１０使用者の頭周りのサイズに合わせて、装着部１２下端の円周長を調節するために設けられるものである。この切欠き部１５には、装着部１２下端から頭周りに延出するように雄の着脱自在テープ１６と雌の着脱自在テープ１７が取付けられる。そして、この雄の着脱自在テープ１６と雌の着脱自在テープ１７の係合する位置をその長手方向で変更調整することにより、装着部１２下端の円周長を調節することができるようになっている。
【００１９】
この実施の形態における装着部１２の構成は従来の野球帽等の装着部１２とほぼ同様のものであって、図４に示すように、装着部１２の前面側となる２枚の三角布片１３の内面側には薄い生地１９が裏打ちされ、三角布片１３を縫着結合した内面側にはその縫着部に沿って所定幅の補強布１８が縫着される。また、切欠き部１５を除く装着部１２の下端縁部の内周側には、額の汗を吸収するための帯状の吸収帯２０が縫着される。なお図示しないが、この吸収帯２０を縫着することなく、装着部１２の下端縁部の内周側に面ファスナを用いて着脱自在に取付けることもできる。吸収帯２０を着脱式とすれば、複鍔帽子１０の使用により吸収帯２０に汚れが付着した場合にも容易にこれを取外して洗濯することができる。
【００２０】
図１〜図４に示すように、このような装着部１２には、その前面側に光を遮断する上側鍔２１が設けられる。この上側鍔２１は、この装着部１２を頭部に装着した装着者の視界前方上方を覆うように装着部１２に設けられる（図１及び図２）。この上側鍔２１は、従来と同様に、ポリエチレン等の僅かに可倒性を有する樹脂からなる薄い芯材（図示せず）を半月板形状として、これに反りを与えて布などで被覆加工したものが例示される。そして、この半月板形状を成す上側鍔２１は、その基端側における芯材を被覆した布が、装着部１２の下端縁部と吸収帯２０の間に挟まれて、その装着部１２の下端縁部に吸収帯２０とともに縫着される。そして、この上側鍔２１の下部には、下側に向く雄ホック２２が、この例では幅方向の中央に前後方向に所定の間隔を空けて２個取付けられる。
【００２１】
本発明における複鍔帽子１０は、上側鍔２１の下方に位置しその上側鍔２１と所定の間隔を空けて上側鍔２１と共に装着者の視界を上下から挟む下側鍔２３を備えることを特徴とする。即ち、この下側鍔２３は、装着部１２を頭部に装着した装着者の視界前方下方を覆うものであって、この実施の形態における下側鍔２３は、ポリエチレン製の薄い芯材（図示せず）を半月板形状として、これに反りを与えて布などで被覆加工することにより作られ、その下側鍔２３の基端側に装着者の顔に接触する当接帯２４が設けられる。この下側鍔２３は、その基端側中央に装着者の鼻柱との接触を回避する凹部２３ａが形成され、その基端側に立設する当接帯２４はその凹部２３ａにも設けられる。この当接帯２４には、それが顔に接触したときに外観上の違和感を生じさせないように、下側鍔２３の外表面における布と同一の布が用いられる。また、この当接帯２４は、その下側鍔２３の基端側に沿って、下側鍔２３と直交するように設けられ、装着者の鼻の両側であって目と頬の間又はその頬に面接触可能に設けられる。
【００２２】
当接帯２４の両側には弾性体である帯状のゴム紐２６の一端が逢着され、そのゴム紐２６の他端は、装着部１２の下端内側の吸収帯２０であって側頭部に位置する部分に逢着される。よって、下側鍔２３はこの弾性体である帯状ゴム紐２６を介して装着部１２に設けられ、この弾性体である帯状ゴム紐２６により、下側鍔２３は装着部１２に対して回転や移動が可能に構成される。そして、当接帯２４が装着者の目と頬の間又はその頬に接触した状態で、ゴム紐２６は当接帯２４の両端を側頭部方向にそれぞれ引っ張るので、その当接帯２４は装着者の目と頬の間又はその頬に接触した状態で維持され、これにより、下側鍔２３は装着者の目の下側から前方に突出した状態でその顔に維持されるように構成される（図１及び図２）。
【００２３】
また、上側鍔２１に設けられたく雄ホック２２に対向する下側鍔２３の上面には、その雄ホック２２に係合可能な雌ホック２５が取付けられる。この下側鍔２３に取付けられた雌ホック２５は、上側鍔２１の雄ホック２２と係合して、その下側鍔２３を上側鍔２１に重合させて固定するように構成される。なお雄ホック２２及び雌ホック２５には、例えば、屋外においてこの複鍔帽子１０の装着時の落雷事故の発生予防のため、プラスティック等の絶縁性材料により製作されたものが用いられる。
【００２４】
このように構成された複鍔帽子１０では、通常、図３及び図４に示すように、下側鍔２３を上側鍔２１に重合させて、雌ホック２５を雄ホック２２と係合して、その下側鍔２３を上側鍔２１に重合させた状態で固定しておく。このような複鍔帽子１０における装着部１２を頭部に装着すると、その装着者の視界上方に、互いに重合する下側鍔２３と上側鍔２１の双方が位置することになる。このため、上側鍔２１及び下側鍔２３は、真上からの直射日光を遮ってその光が直接装着者の目を照らすことを防止して、それによる眩しさを回避する。
【００２５】
一方、日照りの強い日に、例えば一日中屋外に立ち尽くす釣り人や、道路工事の交通整理の人達には、太陽からの光が海水面又は路面に当たり、下からの跳ね返りによる反射日光をも避ける必要がある。そのために、図１及び図２に示すように、雄ホック２２を雌ホック２５から離脱して下側鍔２３を上側鍔２１から離し、下側鍔２３を目の下側にまで移動させ、弾性体である帯状ゴム紐２６の弾性力によりその当接帯２４を装着者の鼻の両側であって目と頬の間又はその頬に接触させ、下側鍔２３を装着者の目の下側から前方に突出した状態で固定する。このように、雌ホック２５を離脱して下側鍔２３を下げるだけの簡単な動作であるので、別に持参した日除けお面体を帽子に装着する必要のある従来に比較して、比較的容易に下側鍔２３を目の下側から前方に突出した状態で固定することができ、その動作自体が面倒であると言うことはない。すると、目の下に位置する下側鍔２３は、海水面又は路面に当たり、下からの跳ね返りによる反射日光を遮り、その光が装着者の目を直接照らすようなこと防止して眩しさを軽減する。
【００２６】
特に、この下側鍔２３は、その下側鍔２３の顔に臨む基端側に設けられた当接帯２４が帯状ゴム紐２６の弾性力により装着者の鼻の両側であって目と頬の間又はその頬に接触するようにしたので、この当接帯２４とともにその下側鍔２３は、その鼻周囲から入るような反射日光を有効に遮蔽することができる。このため、その反射日光が装着者の目を照らすような事態を有効に回避することができる。
【００２７】
また、本発明の複鍔帽子１０では、頭部に装着される装着部１２に、上側鍔２１と下側鍔２３が予め設けられるので、従来の日除けお面のように、本来の帽子と別に持ち運ぶようなものはない。このため、例えば下側鍔２３を忘れてしまうような事態は回避される。
【００２８】
更に、本発明の複鍔帽子１０では、視界前方上方を覆う上側鍔２１と、視界前方下方を覆う下側鍔２３とを備えるけれども、視界前方を遮るようなものはない。このため、この複鍔帽子１０を装着した者の前方における視界が本発明の複鍔帽子１０により遮られるようなことはない。
【００２９】
なお、上述した実施の形態では、６枚の三角布片１３を縫着結合することで椀形状に形成された装着部１２を説明したが、これは装着部１２の一例であって、このようなものに限定されるものではない。従って、三角布片１３の数は６枚に限られずその形状も略二等辺三角形のものに限定されずに、この装着部１２は、頭部を覆ってその頭部に装着されるものである限り、その形状や構造はどの様なものであっても良い。
【００３０】
また、上述した実施の形態では、装着者の顔に接触する当接帯２４を、下側鍔２３の凹部２３ａにも形成する例を示したが、この当接帯２４は凹部２３ａに設けなくても良い。
【００３１】
図５〜図８に、本発明の別の実施の形態を示す。
【００３２】
図５〜図８に示す複鍔帽子４０は、いわゆるサンバイザーといわれるものであり、半月形の上側鍔４１、及びその上側鍔４１の基端側において立設した状態で環状をなしてその上側鍔４１を頭部に固定する装着部４２を有する。装着部４２は上側鍔４１の基端側において立設して設けられ、Ｕ字状を成して装着者の額部及び側頭部に接触する本体部４３と、その本体部４３の両端部からそれぞれ延出する布製のサイズ調整帯４４とを有し、そのサイズ調整帯４４は本体部の端部にそれぞれ逢着され、左右のサイズ調整帯４４を係合することで本体部４３とともに環状をなすように構成される。図における本体部４３は、例えば、前頭部から側頭部にかけた５０ｃｍ程度の長さを有しており、その幅は前頭部から側頭部にかけて７〜８ｃｍ程度から３〜５ｃｍ程度に漸減して形成されたものを例示する。
【００３３】
図８に示すように、この実施の形態におけるサイズ調整帯４４は、本体部４３の両端部からそれぞれ延出して設けられ、先端に矩形枠状の環４５が取付けられた３〜７ｃｍ程度の長さの短帯４４ａと、先端から５〜７ｃｍ程度の範囲の外周側に雄の着脱自在テープ４６が縫着され基端から４〜６ｃｍ程度の範囲の外周側に雌の着脱自在テープ４７が縫着された全長が１０〜１８ｃｍ程度の長帯４４ｂとからなり、長帯４４ｂを環４５に通した状態で適当な位置で折り返して雄雌の着脱自在テープ４６，４７を係合させることで、このサイズ調整帯４４と本体部４３から成り、環状を成す装着部４２の円周長を調節できるようになっている。
【００３４】
このような装着部４２の本体部４３と上側鍔４１は成型品であって一体的に形成される。即ち、この本体部４３と上側鍔４１はプラスチック製であって、半月板形状に形成された上側鍔４１は、その基端側が装着部４２に連結して設けられる。そして、このいわゆるサイドバイザー型の複鍔帽子４０には、装着部４２が頭部に装着された装着者の視界を上下から挟むように、上側鍔４１の下方に下側鍔５３が、その上側鍔４１に対して所定の間隔を空けて設けられる。この実施の形態における下側鍔５３は、上側鍔４１と同様の半月板形状に形成されるけれども、その外形は上側鍔４１より小さく形成される。
【００３５】
この下側鍔５３には、その基端側の両側において延長し、この下側鍔５３と共にＵ字状を成す延長部５５が形成される。この下側鍔５３及び延長部５５にあっても樹脂成型により作られたプラスチック製のものであって、これらは一体的に形成される。そして、装着部４２の両側、即ち、装着者の耳近傍の側頭部に位置する本体部４３には、その本体部４３から下方に膨出する枢支部４３ａが形成され、この枢支部４３ａに延長部５５の先端部が枢支されて、下側鍔５３は装着部４２に揺動可能に設けられる。
【００３６】
また、この下側鍔５３は、図６に示すように、幅方向の中央が上方に盛り上がる山形状に形成される。この下側鍔５３を山形状とすることにより、この複鍔帽子４０の装着者における鼻柱と下側鍔５３が直接接触するような事態を回避するように構成される。そして、上側鍔４１の下面にはその中央部に雌ホック５７が設けられ、その上側鍔４１の雌ホック５７に対向する下側鍔５３の上面、即ち、山形を成す下側鍔５３の頂面には、その雌ホック５７に係合可能な雄ホック５６が取付けられる。そして、その下側鍔５３を上側鍔４１に重合させて、雄ホック５６と雌ホック５７を互いに係合させることにより、その下側鍔５３を上側鍔４１に重合させた状態を維持するように構成される（図８）。
【００３７】
一方、雄ホック５６を雌ホック５７から離脱してその係合を解消すると、装着部４２の本体部４３と一体的に形成された上側鍔４１はそのまま装着者の視界前方上方を覆う位置に維持されるけれども、枢支部４３ａに延長部５５の先端部が枢支された下側鍔５３は、自重によりその枢支点を中心に揺動して下方に移動することになる。そして、その枢支部４３ａには、下側鍔５３が装着者の視界前方下方を覆う位置に達した状態で延長部５５に接触し、それ以上下側鍔５３が下方に移動することを防止するストッパ部材４３ｂと、ストッパ部材４３ｂに接触した延長部５５をそのストッパ部材４３ｂに接触した状態に維持しようとする図示しない係合片が設けられる。
【００３８】
このように構成された複鍔帽子４０では、通常、図７及び図８に示すように、下側鍔５３を上側鍔４１に重合させて、雌ホック５７を雄ホック５６と係合して、その下側鍔５３を上側鍔４１に重合させた状態で固定しておく。このようなサンバイザー型の複鍔帽子４０における装着部４２を頭部に装着すると、その装着者４２の視界上方に、互いに重合する下側鍔５３と上側鍔４１の双方が位置することになる。このため、上側鍔４１及び下側鍔５３は、真上からの直射日光を遮ってその光が直接装着者の目を照らすことを防止して、それによる眩しさを回避する。
【００３９】
一方、日照りの強い日には、図５及び図６に示すように、雄ホック５６を雌ホック５７から離脱して下側鍔５３を上側鍔４１から離し、枢支部４３ａに延長部５５の先端部が枢支された下側鍔５３を、自重によりその枢支点を中心に回転して下方に移動させる。そして、ストッパ部材４３ｂに延長部５５を当接させることにより、下側鍔５３が装着者の視界前方下方を覆う位置に達した状態で維持させる。このように、雌ホック５７を離脱して下側鍔５３を下げるだけの簡単な動作であるので、従来の日除けお面に比較して、比較的容易に下側鍔５３を目の下側から前方に突出した状態で固定することができ、その動作自体が面倒であると言うことはない。すると、装着者の目の下側から前方に突出した状態で固定された下側鍔５３は、海水面又は路面からの跳ね返りによる反射日光を遮り、その光が直接装着者の目を照らすことを防止して眩しさを軽減する。
【００４０】
特に、この下側鍔５３は、その幅方向の中央が上方に盛り上がる山形状に形成したので、その下側鍔５３の顔に臨む基端側が、装着者の鼻と当接することを回避することができる。そして、その山形を成す中央部分が鼻に適合して、その鼻周囲から入るような反射日光を有効に遮蔽する。このため、その反射日光が装着者の目を照らすような事態を有効に回避することができる。
【００４１】
また、このようなサンバイザー型の複鍔帽子４０であっても、頭部に装着される装着部４２に、上側鍔４１と下側鍔５３が予め設けられるので、従来の日除けお面のように、本来の帽子と別に持ち運ぶようなものはない。このため、例えば下側鍔を忘れてしまうような事態は回避される。
【００４２】
更に、このような複鍔帽子４０であっても、視界前方を遮るようなものはない。このため、この複鍔帽子４０を装着したものの前方における視界が本発明の複鍔帽子４０により遮られるようなことはない。
【００４３】
なお、上述した実施の形態では、いわゆる野球帽型の複鍔帽子１０の下側鍔２３に鼻との接触を回避する凹部２３ａを形成し、いわゆるサンバイザー型の複鍔帽子４０の下側鍔５３を幅方向の中央が上方に盛り上がる山形状に形成した例を示したけれども、いわゆる野球帽型の複鍔帽子１０の下側鍔２３をその幅方向の中央が上方に盛り上がる山形状に形成し、いわゆるサンバイザー型の複鍔帽子４０の下側鍔５３に鼻との接触を回避する凹部２３ａを形成しても良い。
【００４４】
また、上述した実施の形態では、上側鍔２１，４１に重合した下側鍔２３，５３をその上側鍔２１，４１にして係止させる係止手段として、それぞれの鍔２１，２３，４１，５３の幅方向の中央に前後方向に所定の間隔を空けて取付けられた雄ホック２２，５６とそれに係止可能な雌ホック２５，５７を用いて説明したけれども、その取付位置は幅方向の中央に限定されるものではなく、例えば幅方向の両側に設けても良い。また、この係止手段はホックに限定されるものではなく、下側鍔２３，５３を上側鍔２１，４１に係止可能である限り、例えば面ファスナ等の他の係止手段であっても良い。
【００４５】
また、上述した実施の形態では、サンバイザー型の複鍔帽子４０における本体部４３及び調整帯４４において、具体的な数値を例示して説明したが、それらを有する装着部４２が頭部に装着可能である限り、本体部４３及び調整帯４４はこの明細書に例示する数値に限定されるものではなく、この数値から逸脱するような本体部４３及び調整帯４４を有する装着部４２であっても良い。
【００４６】
また、上述した実施の形態では、サンバイザー型の複鍔帽子４０において、プラスチック製のものを例示したけれども、これは、そのプラスチックを布により被覆したようなものであっても良く、布製であっても良い。
【００４７】
更に、本発明の複鍔帽子１０，４０は、発明の趣旨を逸脱しない範囲で適宜変更することができる。例えば、装着部１２，４１の外面や上側及び下側鍔２１，２３，４１，５３の上面又は下面に様々な装飾や着色を施して需要者の購買意欲を刺激したり、宣伝広告のための情報（文字や絵柄）を印刷・刺繍等してやることもできる。
【符号の説明】
【００４８】
１０，４０  複鍔帽子
１２，４２  装着部
２１，４１  上側鍔
２２，５６  雄ホック（係止手段）
２３，５３  下側鍔
２５，５７  雌ホック（係止手段）
２６  ゴム紐（弾性体）
【図１】
2013087381.tif 000003
【図２】
2013087381.tif 000004
【図３】
2013087381.tif 000005
【図４】
2013087381.tif 000006
【図５】
2013087381.tif 000007
【図６】
2013087381.tif 000008
【図７】
2013087381.tif 000009
【図８】
2013087381.tif 000010